(57)【要約】【課題】作業効率が低下しにくい電動工具を提供する。【解決手段】電動工具１は、工具出力軸３０および周囲領域用光源５１を有している。周囲領域用光源５１は、工具出力軸３０の作業領域とは別の領域である周囲領域に光を照射する。【選択図】図１
2015062979.tif 000002
【特許請求の範囲】
【請求項１】
電動工具であって、
前記電動工具は、工具出力軸および周囲領域用光源を有し、
前記周囲領域用光源は、前記工具出力軸の作業領域とは別の領域である周囲領域に光を照射する
電動工具。
【請求項２】
前記電動工具は、本体部を有し、
前記工具出力軸は、前記本体部から突出し、
前記周囲領域用光源は、前記本体部に取り付けられている
請求項１に記載の電動工具。
【請求項３】
前記電動工具は、把持部を有し、
前記把持部は、前記本体部と接続され、
前記本体部における前記周囲領域用光源の取付位置は、前記本体部および前記把持部が平面上に配置されたときに前記平面と接触しない位置である
請求項２に記載の電動工具。
【請求項４】
前記電動工具は、連動トリガスイッチおよび照射スイッチの少なくとも一方を有し、
前記工具出力軸および前記周囲領域用光源は、前記連動トリガスイッチの操作に応じて動作し、
前記周囲領域用光源は、前記照射スイッチの操作に応じて動作する
請求項１〜３のいずれか一項に記載の電動工具。
【請求項５】
前記電動工具は、作業領域用光源を有し、
前記作業領域用光源は、前記工具出力軸の作業領域に光を照射する
請求項１〜３のいずれか一項に記載の電動工具。
【請求項６】
前記電動工具は、連動トリガスイッチおよび照射スイッチの少なくとも一方を有し、
前記工具出力軸、ならびに、前記周囲領域用光源および前記作業領域用光源の少なくとも一方は、前記連動トリガスイッチの操作に応じて動作し、
前記周囲領域用光源および前記作業領域用光源の少なくとも一方は、前記照射スイッチの操作に応じて動作する
請求項５に記載の電動工具。
【発明の詳細な説明】
【技術分野】
【０００１】
本発明は、電動工具に関する。
【背景技術】
【０００２】
特許文献１の電動工具は、工具出力軸および光源を有している。光源は、工具出力軸の作業領域に光を照射する。
【先行技術文献】
【特許文献】
【０００３】
【特許文献１】特開２００７−１３６６０６号公報
【発明の概要】
【発明が解決しようとする課題】
【０００４】
上記電動工具の作業者は、作業領域とは別の周囲領域を明るくすることを希望する場合、そのための照明器具を用意する必要がある。作業スペースが狭い場合、作業者は、照明器具を希望する場所に設置できないことがある。この場合、作業者は、照明器具を持ちながら電動工具を使用しなければならない。このため、作業効率が低下する。なお、特許文献１は、このような問題について特に言及していない。
【０００５】
本発明は、作業効率が低下しにくい電動工具を提供することを目的としている。
【課題を解決するための手段】
【０００６】
〔１〕本電動工具の独立した一形態は、次の事項を有している。前記電動工具は、工具出力軸および周囲領域用光源を有し、前記周囲領域用光源は、前記工具出力軸の作業領域とは別の領域である周囲領域に光を照射する。
【０００７】
〔２〕前記電動工具に従属する一形態は、次の事項を有している。前記電動工具は、本体部を有し、前記工具出力軸は、前記本体部から突出し、前記周囲領域用光源は、前記本体部に取り付けられている。
【０００８】
〔３〕前記電動工具に従属する一形態は、次の事項を有している。前記電動工具は、把持部を有し、前記把持部は、前記本体部と接続され、前記本体部における前記周囲領域用光源の取付位置は、前記本体部および前記把持部が平面上に配置されたときに前記平面と接触しない位置である。
【０００９】
〔４〕前記電動工具に従属する一形態は、次の事項を有している。前記電動工具は、連動トリガスイッチおよび照射スイッチの少なくとも一方を有し、前記工具出力軸および前記周囲領域用光源は、前記連動トリガスイッチの操作に応じて動作し、前記周囲領域用光源は、前記照射スイッチの操作に応じて動作する。
【００１０】
〔５〕前記電動工具に従属する一形態は、次の事項を有している。前記電動工具は、さらに作業領域用光源を有し、前記作業領域用光源は、前記工具出力軸の作業領域に光を照射する。
【００１１】
〔６〕前記電動工具に従属する一形態は、次の事項を有している。前記電動工具は、連動トリガスイッチおよび照射スイッチの少なくとも一方を有し、前記工具出力軸、ならびに、前記周囲領域用光源および前記作業領域用光源の少なくとも一方は、前記連動トリガスイッチの操作に応じて動作し、前記周囲領域用光源および前記作業領域用光源の少なくとも一方は、前記照射スイッチの操作に応じて動作する。
【発明の効果】
【００１２】
本電動工具によれば、作業効率が低下しにくくなる。
【図面の簡単な説明】
【００１３】
【図１】実施形態の電動工具の正面図。
【図２】実施形態の電動工具のブロック図。
【図３】実施形態の本体部の底面図。
【図４】変形例の電動工具の正面図。
【発明を実施するための形態】
【００１４】
図１を参照して、電動工具１の構成について説明する。
電動工具１は、一例として、電動ドライバの形態を有している。電動工具１は、本体部１０、把持部２０、および、回転結合部（図示略）を有している。回転結合部は、本体部１０および把持部２０を互いに結合している。回転結合部は、本体部１０および把持部２０を相対的に回転させる構造を有している。
【００１５】
電動工具１の形状は、本体部１０および把持部２０の相対的な回転により変化する。電動工具１の形状は、作業環境等に応じて作業者により変更される。電動工具１が第１形状または第２形状を取る場合、ロック機構（図示略）により本体部１０および把持部２０の相対的な回転が規制される。第１形状は、本体部１０および把持部２０が実質的に同軸を有する形状である。第２形状は、図１に示される形状であり、本体部１０および把持部２０のなす角が所定の角度を取る形状である。電動工具１が第１形状または第２形状を取る場合、ロック機構に規定値以上の力が作用することにより、ロック機構による回転の規制が解除される。
【００１６】
本体部１０は、電動工具１としての構成を特徴付ける主要な部分を構成している。本体部１０は、本体部ハウジング１１、工具出力軸３０、周囲領域照射部５０、作業領域照射部４０、正回転トリガスイッチ６１、逆回転トリガスイッチ６２、および、モータ９０（図２参照）を有している。本体部ハウジング１１は、円筒形状に類似する形状を有している。モータ９０は、本体部ハウジング１１の内部に配置されている。
【００１７】
把持部２０は、作業者が作業時に把持するための部分を構成している。把持部２０は、把持部ハウジング２１、照射スイッチ７０、電源部８０、および、制御部１００（図２参照）を有している。把持部ハウジング２１は、円筒形状に類似する形状を有している。電源部８０および制御部１００は、把持部ハウジング２１の内部に配置されている。電源部８０は、一次電池または二次電池の電力を、電源部８０と接続された電力供給対象に供給する。
【００１８】
工具出力軸３０は、一例として、先端にねじ締めビット等を取り付けることができる形態を有している。工具出力軸３０は、ビットを介して作業対象部品にトルクを伝達し、作業対象部品を被取付物に取り付ける。作業対象部品の一例は、ねじまたはボルトである。被取付物の一例は、構造物である。工具出力軸３０の基端側部分は、本体部ハウジング１１の内部に配置され、連結部（図示略）を介してモータ９０の出力軸と接続されている。工具出力軸３０の先端側部分は、本体部ハウジング１１の外部に突出している。
【００１９】
作業領域照射部４０は、工具出力軸３０の作業領域を明るくする機能を有している。工具出力軸３０の作業領域は、作業者が作業対象部品を被取付物に取り付ける作業時において、主として視認する領域である。本体部１０における作業領域照射部４０の取付位置は、第２形状を取る電動工具１が平面上に配置された場合において、作業領域照射部４０が平面と接触しない位置である。作業領域照射部４０は、１つの作業領域用光源４１、および、作業領域用保護板４２を有している。
【００２０】
作業領域用保護板４２は、一例として、ガラスまたは透光性樹脂を主成分とする材料により形成されている。作業領域用保護板４２は、本体部ハウジング１１の底部の外面に取り付けられている。作業領域用保護板４２は、本体部ハウジング１１の底部との間に空間を形成している。
【００２１】
作業領域用光源４１は、作業領域用保護板４２により形成された空間内に配置され、本体部ハウジング１１の底部の外面に取り付けられている。作業領域用光源４１の一例は、ＬＥＤランプである。作業領域用光源４１は、主として、工具出力軸３０のスラスト方向に光を照射する。
【００２２】
周囲領域照射部５０は、工具出力軸３０の作業領域とは別の領域である周囲領域を明るくする機能を有している。周囲領域は、本体部１０の中心軸線まわりの領域、および、把持部２０の中心軸線まわりの領域の少なくとも一方を含む領域である。本体部１０における周囲領域照射部５０の取付位置は、第２形状を取る電動工具１が平面上に配置された場合において、周囲領域照射部５０が平面と接触しない位置である。周囲領域照射部５０は、複数の周囲領域用光源５１、および、周囲領域用保護板５２を有している。
【００２３】
周囲領域用保護板５２は、一例として、ガラスまたは透光性樹脂を主成分とする材料により形成されている。周囲領域用保護板５２は、本体部ハウジング１１の底部の外面に取り付けられている。周囲領域用保護板５２は、本体部ハウジング１１の底部との間に空間を形成している。周囲領域用保護板５２および作業領域用保護板４２は、互いに一体化した構造を有している。
【００２４】
周囲領域用光源５１は、周囲領域用保護板５２により形成された空間内に配置され、本体部ハウジング１１の底部の外面に取り付けられている。周囲領域用光源５１の一例は、ＬＥＤランプである。周囲領域用光源５１は、主として、本体部１０の中心軸線のラジアル方向に光を照射する。
【００２５】
正回転トリガスイッチ６１は、工具出力軸３０を正回転させるトリガ信号を生成する。逆回転トリガスイッチ６２は、工具出力軸３０を逆回転させるトリガ信号を生成する。正回転トリガスイッチ６１および逆回転トリガスイッチ６２は、本体部ハウジング１１の外面に取り付けられている。
【００２６】
照射スイッチ７０は、作業領域用光源４１および周囲領域用光源５１のそれぞれに光を出力させるトリガ信号を生成する。照射スイッチ７０は、一例として、把持部ハウジング２１における回転結合部側の端部の側面に形成されている。
【００２７】
図２を参照して、電動工具１の電気的構成について説明する。
正回転トリガスイッチ６１、逆回転トリガスイッチ６２、照射スイッチ７０、作業領域用光源４１、周囲領域用光源５１、および、モータ９０は、それぞれ制御部１００と電気的に接続されている。正回転トリガスイッチ６１、逆回転トリガスイッチ６２、および、照射スイッチ７０は、制御部１００に信号を入力する。作業領域用光源４１、周囲領域用光源５１、および、モータ９０は、制御部１００の指令信号が入力される。
【００２８】
制御部１００は、正回転トリガスイッチ６１から入力された信号に基づいて、モータ９０を正回転させる。制御部１００は、逆回転トリガスイッチ６２から入力された信号に基づいて、モータ９０を逆回転させる。制御部１００は、照射スイッチ７０から入力された信号に基づいて、作業領域用光源４１および周囲領域用光源５１の動作を制御する。制御部１００は、作業領域用光源４１および周囲領域用光源５１に光を出力させていないとき、かつ、照射スイッチ７０から信号が入力されたとき、作業領域用光源４１および周囲領域用光源５１に光を出力させる。制御部１００は、作業領域用光源４１および周囲領域用光源５１に光を出力させているとき、かつ、照射スイッチ７０から信号が入力されたとき、作業領域用光源４１および周囲領域用光源５１に光を出力させない。
【００２９】
図３を参照して、各照射部４０，５０の取付位置の一例について説明する。
作業領域用保護板４２は、本体部ハウジング１１の長手方向において、本体部ハウジング１１の先端部分に存在している。作業領域用保護板４２は、本体部ハウジング１１の短手方向において、短手方向の中央を含む中間部分に存在している。作業領域用光源４１は、本体部ハウジング１１の長手方向において、本体部ハウジング１１の先端部分に存在している。作業領域用光源４１は、本体部ハウジング１１の短手方向において、短手方向の中央に存在している。
【００３０】
周囲領域用保護板５２は、本体部ハウジング１１の長手方向において、作業領域用保護板４２の端部から本体部ハウジング１１における回転結合部側の端部までにわたり存在している。周囲領域用保護板５２は、本体部ハウジング１１の短手方向において、短手方向の中央を含む中間部分に存在している。複数の周囲領域用光源５１は、本体部ハウジング１１の長手方向において整列している。複数の周囲領域用光源５１は、本体部ハウジング１１の長手方向において、本体部ハウジング１１の中間部分に存在している。複数の周囲領域用光源５１は、本体部ハウジング１１の短手方向において、短手方向の中央に存在している。
【００３１】
図１を参照して、電動工具１の作用について説明する。
作業者は、作業対象部品を被取付部に取り付ける作業時において、作業領域および周囲領域の少なくとも一方を明るくしたい場合、照射スイッチ７０を押す。作業領域用光源４１は、照射スイッチ７０が押されたことにより、作業領域に向けて光を照射する。周囲領域用光源５１は、照射スイッチ７０が押されたことにより、周囲領域に向けて光を照射する。このため、作業領域および周囲領域が明るくなる。作業領域用光源４１および周囲領域用光源５１は、次に照射スイッチ７０が押されるまで、継続的に光を照射する。
【００３２】
電動工具１は、以下の効果を奏する。
（１）電動工具１は、周囲領域用光源５１を有している。このため、作業者は、周囲領域を照らしながら電動工具１を用いて作業することができる。このため、周囲領域を別の照明器具により照らしながら電動工具を用いて作業する場合と比較して、作業効率が低下しにくい。
【００３３】
（２）周囲領域照射部５０は、第２形状を取る電動工具１が平面上に配置された場合において、本体部ハウジング１１のうちの平面と接触しない位置に取り付けられている。このため、電動工具１が落下したとき、周囲領域照射部５０が損傷しにくい。
【００３４】
（３）作業領域照射部４０は、第２形状を取る電動工具１が平面上に配置された場合において、本体部ハウジング１１のうちの平面と接触しない位置に取り付けられている。このため、電動工具１が落下したとき、作業領域照射部４０が損傷しにくい。
【００３５】
（４）電動工具１は、照射スイッチ７０を有している。このため、作業者は、工具出力軸３０を回転させずに周囲領域用光源５１および作業領域用光源４１に光を照射させることができる。すなわち、電動工具１を照明器具として利用できる。このため、別の照明器具を用意する必要が生じなくなる場合がある。
【００３６】
なお、本電動工具が取り得る形態は、実施形態に例示された形態に限定されない。本電動工具は、本電動工具の技術思想に含まれる範囲において、各種の形態を取り得る。本電動工具が取り得る上記実施形態以外の形態の一例は、以下に示される上記実施形態の変形例である。
【００３７】
・作業領域照射部４０が、電動工具１から省略される。
・電動工具１が、作業領域照射部４０に代えて、または、作業領域照射部４０に加えて、分離型の作業領域照射部を有する。この作業領域照射部は、本体部１０との結合および分離が可能な構造を有する。この作業領域照射部は、作業領域用光源４１および作業領域用保護板４２が一体化されたユニットの形態を有する。
【００３８】
・電動工具１が、周囲領域照射部５０に代えて、または、周囲領域照射部５０に加えて、分離型の周囲領域照射部を有する。この周囲領域照射部は、本体部１０との結合および分離が可能な構造を有する。この周囲領域照射部は、周囲領域用光源５１および周囲領域用保護板５２が一体化されたユニットの形態を有する。
【００３９】
・電動工具１が、複数の周囲領域用光源５１に代えて、または、複数の周囲領域用光源５１に加えて、１つまたは複数の別の周囲領域用光源を有する。この周囲領域用光源は、本体部ハウジング１１および把持部ハウジング２１の少なくとも一方に取り付けられる。本体部ハウジング１１における別の周囲領域用光源の取付位置の一例は、本体部ハウジング１１の右側部、左側部、および、頂部の少なくとも１箇所である。把持部ハウジング２１における別の周囲領域用光源の取付位置の一例は、把持部ハウジング２１における回転結合部側の端部の周囲面、把持部ハウジング２１の中間部の周囲面、および、把持部ハウジング２１の底面である。
【００４０】
・電動工具１が、照射スイッチ７０に代えて、または、照射スイッチ７０に加えて、作業領域用スイッチおよび周囲領域用スイッチの少なくとも一方を有する。作業領域用スイッチは、作業領域用光源４１に光を出力させるトリガ信号を制御部１００に出力する。制御部１００は、作業領域用スイッチから入力された信号に基づいて、作業領域用光源４１に光を出力させる。周囲領域用スイッチは、周囲領域用光源５１に光を出力させるトリガ信号を制御部１００に出力する。制御部１００は、周囲領域用スイッチから入力された信号に基づいて、周囲領域用光源５１に光を出力させる。
【００４１】
・電動工具１が、正回転トリガスイッチ６１に代えて、または、正回転トリガスイッチ６１に加えて、連動正回転トリガスイッチを有する。連動正回転トリガスイッチは、工具出力軸３０を正回転させるトリガ信号、ならびに、作業領域用光源４１に光を出力させるトリガ信号、および、周囲領域用光源５１に光を出力させるトリガ信号の少なくとも一方を制御部１００に出力する。制御部１００は、連動正回転トリガスイッチから入力された信号に基づいて、モータ９０を正回転させ、作業領域用光源４１および周囲領域用光源５１の少なくとも一方に光を出力させる。
【００４２】
・電動工具１が、逆回転トリガスイッチ６２に代えて、または、逆回転トリガスイッチ６２に加えて、連動逆回転トリガスイッチを有する。連動逆回転トリガスイッチは、連動正回転トリガスイッチに準じた機能を有する。
【００４３】
・電源部８０が、商用電源の電力を電力供給対象に供給する。
・図４に示されるように、回転結合部が電動工具１から省略され、本体部１０および把持部２０が一体化される。
【符号の説明】
【００４４】
１…電動工具
１０…本体部
２０…把持部
３０…工具出力軸
４１…作業領域用光源
５１…周囲領域用光源
７０…照射スイッチ
【図１】
2015062979.tif 000003
【図２】
2015062979.tif 000004
【図３】
2015062979.tif 000005
【図４】
2015062979.tif 000006